(57)【要約】【課題】平面型電界放出照明モジュールの冷却効果を強化し、照明効率をアップし、パッケージ難度を低減すること。【解決手段】平面型電界放出照明モジュールは、上部基板、複数の陰極と複数の電子エミッタを具えた底部基板を包含し、そのうち該陰極は底部基板の上面に位置し、電子エミッタは該陰極に固定され、陽極が上部基板と底部基板の間に挿入され、該陽極はその底面に複数の溝或いは開口を具え、該電子エミッタは該平面型電界放出照明モジュールの組立後に該溝或いは開口に収容され、該平面型電界放出照明モジュールはさらに該溝或いは開口の内側表面に位置する発光層を具えている。【選択図】図２
2008060082.tif 000002
【特許請求の範囲】
【請求項１】
平面型電界放出照明モジュールにおいて、
上部基板と、
底部基板であって、複数の陰極と複数の電子エミッタを包含し、該陰極は該底部基板の上面に位置し該電子エミッタが該陰極上にそれぞれ固定された、上記底部基板と、
該上部基板と該底部基板の間に挿入された陽極であって、該陽極はその底面に複数の溝或いは開口が形成され、該電子エミッタは、該平面型電界放出照明モジュールの組立後に、該溝或いは該開口に収容される、上記陽極と、
発光層であって、該溝或いは開口の内側表面に配置された、上記発光層と、
を包含したことを特徴とする、平面型電界放出照明モジュール。
【請求項２】
請求項１記載の平面型電界放出照明モジュールにおいて、該溝はその断面形状がＶ形、Ｕ形、半円形、アーチ形、台形、不規則形状、或いはそれらの組合せの形状のいずれかのものが選択されることを特徴とする、平面型電界放出照明モジュール。
【請求項３】
請求項１記載の平面型電界放出照明モジュールにおいて、該溝はその断面形状が延長形、湾曲形、ジグザグ形、不規則形、或いはそれらの組合せの形状のいずれかのものが選択されることを特徴とする、平面型電界放出照明モジュール。
【請求項４】
請求項１記載の平面型電界放出照明モジュールにおいて、該溝はそれぞれ等しい幅を有することを特徴とする、平面型電界放出照明モジュール。
【請求項５】
請求項１記載の平面型電界放出照明モジュールにおいて、該溝間は等距離を以て離間されたことを特徴とする、平面型電界放出照明モジュール。
【請求項６】
請求項１記載の平面型電界放出照明モジュールにおいて、該溝は互いに平行とされたことを特徴とする、平面型電界放出照明モジュール。
【請求項７】
請求項１記載の平面型電界放出照明モジュールにおいて、該開口はその断面形状がＶ形、Ｕ形、半円形、アーチ形、台形、不規則形状、或いはそれらの組合せの形状のいずれかのものが選択されることを特徴とする、平面型電界放出照明モジュール。
【請求項８】
請求項１記載の平面型電界放出照明モジュールにおいて、該開口の形状が円形とされたことを特徴とする、平面型電界放出照明モジュール。
【請求項９】
請求項１記載の平面型電界放出照明モジュールにおいて、該陽極が金属で形成されたことを特徴とする、平面型電界放出照明モジュール。
【請求項１０】
請求項１記載の平面型電界放出照明モジュールにおいて、該陽極がアルミニウムで形成されたことを特徴とする、平面型電界放出照明モジュール。
【請求項１１】
請求項１記載の平面型電界放出照明モジュールにおいて、該陽極に印加される電圧は該陰極に印加される電圧より高いことを特徴とする、平面型電界放出照明モジュール。
【請求項１２】
請求項１１記載の平面型電界放出照明モジュールにおいて、該平面型電界放出照明モジュールは更に該上部基板の底面に電気伝導層を包含することを特徴とする、平面型電界放出照明モジュール。
【請求項１３】
請求項１２記載の平面型電界放出照明モジュールにおいて、該電気伝導層は透明電気伝導層或いは金属層とされることを特徴とする、平面型電界放出照明モジュール。
。
【請求項１４】
請求項１記載の平面型電界放出照明モジュールにおいて、該平面型電界放出照明モジュールは更に該陽極の上面に位置する冷却層を包含することを特徴とする、平面型電界放出照明モジュール。
【請求項１５】
請求項１４記載の平面型電界放出照明モジュールにおいて、該冷却層は黒色被覆材料で形成されたことを特徴とする、平面型電界放出照明モジュール。
【請求項１６】
請求項１記載の平面型電界放出照明モジュールにおいて、該上部基板と該底部基板の間に配置されたシーラント層を包含し、これにより該平面型電界放出照明モジュールのための内部シーリング空間を提供することを特徴とする、平面型電界放出照明モジュール。
【請求項１７】
請求項１６記載の平面型電界放出照明モジュールにおいて、該平面型電界放出照明モジュールの該内部シーリング空間内に少なくとも一種類の脱ガス成分を包含することを特徴とする、平面型電界放出照明モジュール。
【請求項１８】
請求項１記載の平面型電界放出照明モジュールにおいて、該陰極が金属で形成されたことを特徴とする、平面型電界放出照明モジュール。
【請求項１９】
請求項１記載の平面型電界放出照明モジュールにおいて、該電子エミッタが炭素ナノチューブ、ダイヤモンド或いはダイアモンド状炭素で形成されたことを特徴  とする、平面型電界放出照明モジュール。
【請求項２０】
請求項１記載の平面型電界放出照明モジュールにおいて、該発光層が蛍光粉或いはりん光粉の層とされたことを特徴とする、平面型電界放出照明モジュール。
【発明の詳細な説明】
【技術分野】
【０００１】
本発明は一種の平面型電界放出照明モジュールに係り、特に、ディスプレイ或いは一般の平面照明器具に適用される平面型電界放出照明モジュールに関する。
【背景技術】
【０００２】
電子ディスプレイスクリーンは現代生活におけるユビキタスとなり、テレビ、携帯電話、携帯情報端末装置（ＰＤＡ）、デジタルカメラ、コンピュータは、情報伝達をディスプレイ制御に依存する。伝統的なＣＲＴディスプレイに対し、新時代のフラットパネルディスプレイは軽量で、コンパクトで、健康が考慮されている点で優れている。しかしながら、明るさ、消費電力等、解決されるべき問題も有している。
【０００３】
フラットパネルディスプレイの新たに開発された技術中、液晶ディスプレイ（ＬＣＤｓ）は現在採用の主流となっている。液晶ディスプレイは自己発光型ディスプレイではないため、ディスプレイ機能を発生するためには外部光源を必要とする。バックライトモジュールは、ゆえに、光源の役割を果たし、液晶ディスプレイの重要な素子の一つとなっている。
【０００４】
従来のディスプレイは冷陰極蛍光ランプ（ＣＣＦＬ）をフラットパネルディスプレイ用のバックライトとして採用している。しかし、ＣＣＦＬには、使用寿命が短いこと、比較的電力を消費すること、表面の好ましくない色数の多さ、環境に非常に害となる水銀を包含すること、等の欠点を有している。さらに、ランプチューブの外形のために、バックライトモジュールは導光板、リフレクタ、拡散装置を必要とし、それによりランプから発射される光束を均一化する。言い換えると、ＣＣＦＬをバックライトモジュールの光源として採用し、それに加えて上述の補助的な素子を伴うことにより、光源を均一に拡散するための空間の厚さが必要となり、それによってはじめて液晶パネルのための均一な照明光束が得られるのである。このことは、バックライトモジュールの応用に関して比較的厳しい制限を形成する。
【０００５】
液晶ディスプレイの照明光源として発光ダイオード（ＬＥＤ）バックライトモジュールを使用することもできる。発光ダイオードは低電力消費、高い明度の出力、コンパクトサイズ等の長所を有する。しかしながら、発光ダイオードの光束は導光板の側面に直接導入され、克服が非常に困難な明度の不均一な帯が光束が導光板に導入される境界に出現し得て、全ての構造パラメータは単一寸法のパネルのためだけに設計される。各種寸法のパネルは異なる構造パラメータを必要とする。このため、ＬＥＤバックライトモジュールの応用はパネル寸法の制限を非常に受ける。
【０００６】
現在、応用における上述の制限を克服すべく、平面型電界放出照明モジュールが液晶ディスプレイの照明モジュールとして開発されている。周知の平面型電界放出照明モジュールの構造は、図１に示されるように、陽極１０１と蛍光層１０２を包含する上部基板１００、複数の陰極１０４、電子エミッタ１０５と絶縁層１０６を包含する底部基板１０３、該上部基板１００と該底部基板１０３の間に挿入されてこれら基板の間の所定の垂直距離と真空状態を維持する複数の支持部材１０７を包含する。該陰極１０４及び絶縁層１０６は底部基板１０３の上に形成され、電子エミッタ１０５は該陰極１０４の上に形成される。さらに、陽極１０１は上部基板１００の下に形成され、蛍光層１０２は該陽極１０１の下に形成される。このような構造により、電子は電子エミッタ１０５より放出され、該陽極１０１に引き寄せられ、そして蛍光層１０２に影響を与えて、蛍光層１０２を励起させ発光させる。結果として、該平面型電界放出照明モジュールの上部基板１００は透明基板でなければならず、それにより蛍光層１０２の発光が上部基板１００を透過し表面光源を形成できる。
【０００７】
周知の平面型電界放出照明モジュールが液晶ディスプレイに応用されるとき、陽極１０１は液晶ディスプレイの薄膜に緊密に接合されているため、該薄膜と液晶は、操作時間が長くなり該陽極１０１が電子の影響を受けて加熱されるとき、劣化する。さらに、周知の平面型電界放出照明モジュールの照明効果は比較的低く、それは蛍光層１０２上方の方向の発光のみが現れ、一方、蛍光層１０２の他の方向からの発光は現れないためである。さらに、電界放出バックライトモジュールはパッケージ時に真空状態に保持されるため、上部基板と底部基板（通常ガラス基板）は内部圧力と外部圧力の差が大き過ぎる時に割れやすい。
【発明の開示】
【発明が解決しようとする課題】
【０００８】
フラットパネルディスプレイはより大きな寸法のものへ、より精巧なものへ、より高解像度のものへと開発が進められ、伝統的な電界放出バックライトモジュールにおける問題、例えば低い冷却効果、低い発光効率、及びパッケージの難しさ等の問題を解決することが早急に必要である。
【課題を解決するための手段】
【０００９】
請求項１の発明は、平面型電界放出照明モジュールにおいて、
上部基板と、
底部基板であって、複数の陰極と複数の電子エミッタを包含し、該陰極は該底部基板の上面に位置し該電子エミッタが該陰極上にそれぞれ固定された、上記底部基板と、
該上部基板と該底部基板の間に挿入された陽極であって、該陽極はその底面に複数の溝或いは開口が形成され、該電子エミッタは、該平面型電界放出照明モジュールの組立後に、該溝或いは該開口に収容される、上記陽極と、
発光層であって、該溝或いは開口の内側表面に配置された、上記発光層と、
を包含したことを特徴とする、平面型電界放出照明モジュールとしている。
請求項２の発明は、請求項１記載の平面型電界放出照明モジュールにおいて、該溝はその断面形状がＶ形、Ｕ形、半円形、アーチ形、台形、不規則形状、或いはそれらの組合せの形状のいずれかのものが選択されることを特徴とする、平面型電界放出照明モジュールとしている。
請求項３の発明は、請求項１記載の平面型電界放出照明モジュールにおいて、該溝はその断面形状が延長形、湾曲形、ジグザグ形、不規則形、或いはそれらの組合せの形状のいずれかのものが選択されることを特徴とする、平面型電界放出照明モジュールとしている。
請求項４の発明は、請求項１記載の平面型電界放出照明モジュールにおいて、該溝はそれぞれ等しい幅を有することを特徴とする、平面型電界放出照明モジュールとしている。
請求項５の発明は、請求項１記載の平面型電界放出照明モジュールにおいて、該溝間は等距離を以て離間されたことを特徴とする、平面型電界放出照明モジュールとしている。
請求項６の発明は、請求項１記載の平面型電界放出照明モジュールにおいて、該溝は互いに平行とされたことを特徴とする、平面型電界放出照明モジュールとしている。
請求項７の発明は、請求項１記載の平面型電界放出照明モジュールにおいて、該開口はその断面形状がＶ形、Ｕ形、半円形、アーチ形、台形、不規則形状、或いはそれらの組合せの形状のいずれかのものが選択されることを特徴とする、平面型電界放出照明モジュールとしている。
請求項８の発明は、請求項１記載の平面型電界放出照明モジュールにおいて、該開口の形状が円形とされたことを特徴とする、平面型電界放出照明モジュールとしている。
請求項９の発明は、請求項１記載の平面型電界放出照明モジュールにおいて、該陽極が金属で形成されたことを特徴とする、平面型電界放出照明モジュールとしている。
請求項１０の発明は、請求項１記載の平面型電界放出照明モジュールにおいて、該陽極がアルミニウムで形成されたことを特徴とする、平面型電界放出照明モジュールとしている。
請求項１１の発明は、請求項１記載の平面型電界放出照明モジュールにおいて、該陽極に印加される電圧は該陰極に印加される電圧より高いことを特徴とする、平面型電界放出照明モジュールとしている。
請求項１２の発明は、請求項１１記載の平面型電界放出照明モジュールにおいて、該平面型電界放出照明モジュールは更に該上部基板の底面に電気伝導層を包含することを特徴とする、平面型電界放出照明モジュールとしている。
請求項１３の発明は、請求項１２記載の平面型電界放出照明モジュールにおいて、該電気伝導層は透明電気伝導層或いは金属層とされることを特徴とする、平面型電界放出照明モジュールとしている。
としている。
請求項１４の発明は、請求項１記載の平面型電界放出照明モジュールにおいて、該平面型電界放出照明モジュールは更に該陽極の上面に位置する冷却層を包含することを特徴とする、平面型電界放出照明モジュールとしている。
請求項１５の発明は、請求項１４記載の平面型電界放出照明モジュールにおいて、該冷却層は黒色被覆材料で形成されたことを特徴とする、平面型電界放出照明モジュールとしている。
請求項１６の発明は、請求項１記載の平面型電界放出照明モジュールにおいて、該上部基板と該底部基板の間に配置されたシーラント層を包含し、これにより該平面型電界放出照明モジュールのための内部シーリング空間を提供することを特徴とする、平面型電界放出照明モジュールとしている。
請求項１７の発明は、請求項１６記載の平面型電界放出照明モジュールにおいて、該平面型電界放出照明モジュールの該内部シーリング空間内に少なくとも一種類の脱ガス成分を包含することを特徴とする、平面型電界放出照明モジュールとしている。
請求項１８の発明は、請求項１記載の平面型電界放出照明モジュールにおいて、該陰極が金属で形成されたことを特徴とする、平面型電界放出照明モジュールとしている。
請求項１９の発明は、請求項１記載の平面型電界放出照明モジュールにおいて、該電子エミッタが炭素ナノチューブ、ダイヤモンド或いはダイアモンド状炭素で形成されたことを特徴  とする、平面型電界放出照明モジュールとしている。
請求項２０の発明は、請求項１記載の平面型電界放出照明モジュールにおいて、該発光層が蛍光粉或いはりん光粉の層とされたことを特徴とする、平面型電界放出照明モジュールとしている。
【発明の効果】
【００１０】
本発明は一種の平面型電界放出照明モジュールを提供し、それは上部基板、複数の陰極と複数の電子エミッタを具えた底部基板を包含し、そのうち該陰極は底部基板の上面に位置し、電子エミッタは該陰極に固定され、陽極が上部基板と底部基板の間に挿入され、該陽極はその底面に複数の溝或いは開口を具え、該電子エミッタは該平面型電界放出照明モジュールの組立後に該溝或いは開口に収容され、該平面型電界放出照明モジュールはさらに該溝或いは開口の内側表面に位置する発光層を具え、これにより電界放出バックライトモジュールの冷却効果が強化され、照明モジュールの照明効率がアップされ、モジュールのパッケージ難度が低減される。
【発明を実施するための最良の形態】
【００１１】
本発明は一種の平面型電界放出照明モジュールを提供し、それは、上部基板、底部基板を包含し、該底部基板は複数の陰極と電子エミッタを包含し、該陰極は該底部基板の上面に位置し、該電子エミッタは該陰極上に固定される。陽極は該上部基板と該底部基板の間に挿入され、該陽極はその底面に複数の溝或いは開口を具え、該電子エミッタは、該平面型電界放出照明モジュールの組立後に、該溝或いは開口に収容される。そして発光層が該溝或いは開口の内側表面に配置される。
【００１２】
この構造の下、電子は電子エミッタより放出され、該陽極の電圧に引き寄せられ、該陽極の該溝或いは開口に位置する該発光層に影響を与え、該発光層を励起、発光させる。該発光層の発する光は該陽極に反射され、こうして該底部基板を透過し外部に照射され、これにより表面光源を形成する。
【００１３】
図１に示される周知の平面型電界放出照明モジュールと比較すると、本発明の平面型電界放出照明モジュールは、該陽極の複数の溝或いは開口を具えているため、電界放出照明エリアが拡張され、照明明度が増され、陽極へと均一に電子を放出する。さらに、該溝或いは開口は発光層の発光をさまざまな角度に反射でき、光の放出と光の散乱を改善して、より均一な照明を形成できる。
【００１４】
さらに本発明においては、該陽極自体が仕切り（ｐａｒｔｉｔｉｏｎ）として働き、このため平面型電界放出照明モジュールにおいて追加の仕切りは不要である。これにより図１に示される周知の平面型電界放出照明モジュールにおいて仕切りを特別なマニピュレータを使用して設置するための費用が削減される。さらに、本発明によると、仕切りとしての陽極の設置は容易であり、アライメントは不要である。
【００１５】
本発明において、該陽極は金属板或いは金属層の表面に形成された絶縁板とされうるが、好ましくは金属板とされる。該陽極が金属板である場合、電子は金属板の優れた電気伝導性により陽極より容易に放出される。そして陽極の過熱は優れた熱伝導性により回避される。加えて、陽極は放射冷却目的のために背面に黒色コーティングされうる。
【００１６】
本発明の平面型電界放出照明モジュールにおいて、該陽極は複数の溝或いは開口を具えた電気伝導板とされ得て、各溝或いは開口の断面形状は制限されないが、好ましくは、Ｖ形、Ｕ形、半円形、アーチ形、台形、不規則形、或いはそれらを組合せた形状とされる。
【００１７】
本発明において、該溝或いは開口は製造工程の必要に応じて互いに適切な距離離間され、溝の配置方式或いは溝の数は最善の使用効果を達成できるように制限されない。本発明の陽極の溝の形状は制限されないが、好ましくは、帯状形状において、直線形か、湾曲形か、ジグザグ形か、不規則形か、或いはそれらの複合形とされる。同様に、陽極の幅も制限されないが、好ましくは、各溝は等しい幅を有する。また陽極の溝の配列の方式は制限されないが、好ましくは底部基板上で溝は相互に平行とされる。
【００１８】
同様に、本発明の平面型電界放出照明モジュールにおいて、陽極の開口は製造工程の必要に応じて互いに調整可能な距離を以て離間され、開口の配置方式或いは開口の数は最善の使用効果を達成できるように制限されない。本発明の陽極の開口の形状は制限されないが、好ましくは、等しい寸法の円形開口とされる。
【００１９】
本発明において、陰極の形状は制限されないが、好ましくは帯状陰極とされるか、さらに好ましくは細長形、湾曲形、ジグザグ形、或いは不規則形状の帯状陰極とされる。陰極の幅は制限されないが、好ましくは各陰極が等しい幅を有する。また陰極の配列方式は制限されないが、好ましくは陰極は底部基板上で相互に平行とされる。
【００２０】
本発明によると、電子エミッタに使用される材料は制限されないが、好ましくは炭素ベース材料とされ、さらに好ましくはグラファイト、ダイヤモンド、ダイアモンド状炭素、炭素ナノチューブ、Ｃ６０、或いはそれらの複合体とされる。
【００２１】
本発明によると平面型電界放出照明モジュールの発射する光の色は制限されないが、色光を発する発光層の発光材料により要求に応じた色光が発射される。本発明において、発光層は複数の表示エリアに分割されるか単一ユニットに統合され、これにより各種の色の照明要求に対応する。本発明によると発光層の材料は制限されないが、好ましくは蛍光粉或いはりん光粉とされる。
【００２２】
パターン化された絶縁層が、平面型電界放出照明モジュールに追加されうる。この絶縁層は各陰極の両側に配置されて電気絶縁機能を提供する。絶縁層の形状に制限はなく、陰極の形状に応じて調整され得るが、好ましくは細長状の絶縁層とされる。
【００２３】
本発明の平面型電界放出照明モジュールは、さらに電気伝導層を上部基板の底面に具備し得て、該電気伝導層の材料は制限されないが、好ましくは透明電気伝導層或いは金属層とされる。
【００２４】
本発明において、陽極の上面に配置される冷却層は、さらに、上部基板と底部基板の間に配置された複数のシーラント層を包含し得て、これにより平面型電界放出照明モジュールの内部シーリング空間を提供し、該内部シーリング空間は脱ガス成分を内部に有する。
【００２５】
本発明の平面型電界放出照明モジュールは照明を必要とする任意の分野に適用されうるが、好ましくはディスプレイの光源或いは一般の平坦照明設備に適用される。
【００２６】
本発明の他の目的、長所及び新規な特徴は以下の具体的な説明において添付の図も併せて明らかとなる。
【実施例１】
【００２７】
図２を参照されたい。本発明の第１実施例の平面型電界放出照明モジュール２００は、上部基板２０１、底部基板２０２、複数の溝２０４を具えた陽極２０３、該溝２０４の内部に配置された発光層２０５を包含する。
【００２８】
図２に示されるように、この実施例によると、インジウム錫酸化物（ＩＴＯ）層が、電気伝導層２０６として、及び、外部接続のための伝導体として上部基板２０１の下に形成され、これにより外部電源が提供され、電気伝導層２０６を通して、適切な電圧が陽極２０３に印加される。該底部基板２０２はその表面に複数の細長い陰極２０７を具え、各陰極２０７の上には電子放出のために電子エミッタ２０８が形成されている。この実施例では、該陰極２０７は銀ペーストで形成され、各該陰極２０７間は等距離離間し及び相互に平行で、各陰極２０７は同じ幅を有する。該電子エミッタ２０８は炭素ナノチューブで形成され、該電子エミッタ２０８は、平面型電界放出照明モジュールの組立後に、溝２０４に収容される。
【００２９】
図２に併せて図３も参照されたい。該陽極２０３の該溝２０４はそれぞれ細長く、断面がＵ形である。各溝２０４間は等距離とされ且つ平行であり、各溝２０４は同じ幅を有する。この実施例では、陽極２０３はアルミニウム板２０３とされ、放射冷却目的のためにその上に黒色コーティング２０９が形成され、これにより陽極２０３の冷却が強化されている。蛍光層が、発光層２０５として、該陽極２０３の該溝２０４の内側表面に形成される。
【００３０】
本実施例の平面型電界放出照明モジュール２００の組立後に、電子エミッタ２０８が該溝２０４に収容される。陰極２０７及び陽極２０３にはそれぞれ電圧が印加され（該陽極２０３に印加される電圧は陰極２０７に印加される電圧より高い）、電子エミッタ２０８より放出される電子は陽極２０３の電圧に引き寄せられ、そうして溝２０４の内側表面の発光層２０５に影響を与え、これにより発光層２０５が励起して発光する。該発光層２０５の発する光線は溝２０４の内側表面に反射され、それから底部基板２０２を透過し、外部から見えるようになる。該溝２０４はＵ形断面を有するため、各方向からの光線は拡散され反射され、本発明の平面型電界放出照明モジュールのより均一な正面を形成する。
【００３１】
さらに該平面型電界放出照明モジュール２００は、シーラント層２１０を上部基板２０１と底部基板２０２の間に有しうる。これにより平面型電界放出照明モジュール２００における真空を増すための内部シーリング空間を提供できる。
【実施例２】
【００３２】
図４は本発明の第２実施例の平面型電界放出照明モジュール４００を示す。この実施例において、平面型電界放出照明モジュール４００の構造は陽極４０３以外は実施例１のものとほぼ同じである。該底部基板４０２はその表面に複数の細長い陰極４０７を具え、各陰極４０７の上には電子放出のために電子エミッタ４０８が形成されている。この実施例では、該陰極４０７は銀ペーストで形成され、各該陰極４０７間は等距離離間し及び相互に平行で、各陰極４０７は同じ幅を有する。該電子エミッタ４０８は炭素ナノチューブで形成され、該電子エミッタ４０８は、平面型電界放出照明モジュールの組立後に、溝４０４に収容される。
【００３３】
図４を参照されたい。第２実施例において陽極４０３は凹形又は凸形の金属板とされ、この金属は加圧工程により形成される。同様に、陽極４０３の溝４０４はそれぞれ細長く、断面がＵ形である。各溝４０４間は等距離とされ且つ平行であり、各溝４０４は同じ幅を有する。この実施例では、陽極４０３はアルミニウム板とされ、放射冷却目的のためにその上に黒色コーティング４０９が形成され、これにより陽極４０３の冷却が強化されている。蛍光層が、発光層４０５として、該陽極４０３の該溝４０４の内側表面に形成される。
【実施例３】
【００３４】
図５及び図６を参照されたい。本発明の第３実施例の平面型電界放出照明モジュール５００は、複数の開口５０４を具えた陽極５０３を包含する。この実施例では、開口５０４は円形でそれぞれＵ形断面を有する。各開口５０４間は等距離を以て離間されそれぞれが同じ寸法を有する。該陽極５０３はアルミニウム板とされ、その上に、図５に示されるように、放射冷却目的のために黒色コーティング５０９が形成され、これにより陽極５０３の冷却が強化されている。蛍光層が、発光層５０５として、該陽極５０３の該溝５０４の内側表面に形成される。
【００３５】
図５に示されるように、この実施例において、インジウム錫酸化物（ＩＴＯ）層が、電気伝導層５０６として、上部基板５０１の下に形成される。底部基板５０２はその表面に複数の細長い、不連続の陰極５０７を具え、該陰極５０７は該陽極５０３の開口５０４に対応し、各陰極５０７の上に電子放出のために電子エミッタ５０８が形成されている。この実施例では、該電子エミッタ５０８は、平面型電界放出照明モジュールの組立後に、該開口５０４に収容される。該陰極５０７は銀ペーストで形成され、該電子エミッタ５０８は炭素ナノチューブで形成される。
【実施例４】
【００３６】
図７は本発明の第４実施例の平面型電界放出照明モジュール（図示せず）の陽極７０３を示す。図７に示されるように、陽極７０３の溝７０４は連続するジグザグ帯状とされ得て、各溝７０４間は等距離を以て離間され、相互に平行とされ、該溝７０４はそれぞれ等しい幅とされる。この実施例では、該溝７０４はＵ形断面を有する。本実施例では、陽極７０３が平面型電界放出照明モジュールに組み合わされた後に、陰極（図示せず）の配置と位置は陽極７０３の溝７０４に対応する必要があり、これにより電子エミッタ（図示せず）が溝７０４内に収容される。
【００３７】
本発明は以上の好ましい実施例によって説明されるが、他の多くの変更或いは修飾を本発明の特許請求の範囲記載の発明の範囲から逸脱することなく行なえる。
【図面の簡単な説明】
【００３８】
【図１】伝統的な平面型電界放出照明モジュールの断面図である。
【図２】本発明の第１実施例の平面型電界放出照明モジュールの断面図である。
【図３】図２の陽極の斜視図である。
【図４】本発明の第２実施例の平面型電界放出照明モジュールの断面図である。
【図５】本発明の第３実施例の平面型電界放出照明モジュールの断面図である。
【図６】図５の陽極の斜視図である。
【図７】本発明の第４実施例の平面型電界放出照明モジュールの陽極の斜視図である。
【符号の説明】
【００３９】
１００  上部基板                    １０１  陽極
１０２  蛍光層                      １０３  底部基板
１０４  陰極                        １０５  電子エミッタ
１０６  絶縁層                      １０７  支持部材
２００  平面型電界放出照明モジュール
２０１  上部基板                    ２０２  底部基板
２０３  陽極                        ２０４  溝
２０５  発光層                      ２０６  電気伝導層
２０７  陰極                        ２０８  電子エミッタ
２０９  黒色コーティング            ２１０  シーラント層
４００  平面型電界放出照明モジュール
４０２  底部基板                    ４０３  陽極
４０４  溝                          ４０５  発光層
４０７  陰極                        ４０８  電子エミッタ
４０９  黒色コーティング
５００  平面型電界放出照明モジュール
５０１  上部基板                    ５０２  底部基板
５０３  陽極                        ５０４  開口
５０５  発光層                      ５０６  電気伝導層
５０７  陰極                        ５０８  電子エミッタ
５０９  黒色コーティング
７０３  陽極                        ７０４  溝
【図１】
2008060082.tif 000003
【図２】
2008060082.tif 000004
【図３】
2008060082.tif 000005
【図４】
2008060082.tif 000006
【図５】
2008060082.tif 000007
【図６】
2008060082.tif 000008
【図７】
2008060082.tif 000009
【手続補正書】
【提出日】平成19年9月14日(2007.9.14)
【手続補正１】
【補正対象書類名】明細書
【補正対象項目名】００３４
【補正方法】変更
【補正の内容】
【００３４】
図５及び図６を参照されたい。本発明の第３実施例の平面型電界放出照明モジュール５００は、複数の開口５０４を具えた陽極５０３を包含する。この実施例では、開口５０４は円形でそれぞれＵ形断面を有する。各開口５０４間は等距離を以て離間されそれぞれが同じ寸法を有する。該陽極５０３はアルミニウム板とされ、その上に、図５に示されるように、放射冷却目的のために黒色コーティング５０９が形成され、これにより陽極５０３の冷却が強化されている。蛍光層が、発光層５０５として、該陽極５０３の開口５０４の内側表面に形成される。
【外国語明細書】
2008060082.tif 000010
2008060082.tif 000011
2008060082.tif 000012
2008060082.tif 000013
2008060082.tif 000014
2008060082.tif 000015
2008060082.tif 000016
2008060082.tif 000017
2008060082.tif 000018
2008060082.tif 000019
2008060082.tif 000020
2008060082.tif 000021
2008060082.tif 000022
2008060082.tif 000023
2008060082.tif 000024
2008060082.tif 000025
2008060082.tif 000026
2008060082.tif 000027
2008060082.tif 000028
2008060082.tif 000029
2008060082.tif 000030
2008060082.tif 000031
2008060082.tif 000032
2008060082.tif 000033
2008060082.tif 000034